(57)【要約】【課題】容器を保持しやすく、しかも吸い口部を任意の方向に選択して保持できることで自己飲みの場合にも、介助により飲用をする場合でも使い勝手に優れた飲料容器を提供すること。【解決手段】容器本体１１と、該容器本体に着脱され前記開口部を覆うとともに、ストロー開口を有するアダプター部材２０と、前記ストロー開口に着脱可能に挿通された柔軟なストロー飲み口４５を有するストロー部材４０とを備えた飲料容器であって、前記容器本体またはアダプター部材に一体に設けた片手用のハンドル部１３と、前記アダプター部材の上に配置されたフード部材とを有しており、前記フード部材には、前記ストロー開口に対して、上下方向の位置が重ならない箇所に形成されて、前記ストロー開口から延びるストロー飲み口を、傾斜させて外部に露出させるように案内するストロー露出孔３１を備えており、かつ、前記フード部材が、上下方向に延びる仮想の中心線Ｃの周囲に回動可能とされている。【選択図】図２
2008213844.tif 000002
【特許請求の範囲】
【請求項１】
上方に開放した開口部を有し、内部に飲料を収容する容器本体と、該容器本体に着脱され前記開口部を覆うとともに、ストロー開口を有するアダプター部材と、前記ストロー開口に着脱可能に挿通された柔軟なストロー飲み口を有するストロー部材とを備えた飲料容器であって、
前記容器本体またはアダプター部材に一体に設けた片手用のハンドル部と、
前記アダプター部材の上に配置されたフード部材と
を有しており、
前記フード部材には、前記ストロー開口に対して、上下方向の位置が重ならない箇所に形成されて、前記ストロー開口から延びるストロー飲み口を、傾斜させて外部に露出させるように案内するストロー傾斜案内部を備えており、
かつ、前記フード部材が、上下方向に延びる仮想の中心線の周囲に回動可能とされている
ことを特徴とする飲料容器。
【請求項２】
前記フード部材と前記アダプター部材の少なくとも一方が変形可能な成形品であり、前記フード部材と前記アダプター部材の一方の部材の周方向に沿って形成した溝部に対して他方の部材の凸部が嵌合することにより、前記フード部材が回動可能とされていることを特徴とする請求項１に記載の飲料容器。
【請求項３】
前記フード部材は、前記アダプター部材の上部を覆うドーム状の形態であり、その上部には前記ストロー傾斜案内部が形成されているとともに、下部には、前記ストロー飲み口の先端部を折り曲げて収容する受容部が設けられていることを特徴とする請求項１または２のいずれかに記載の飲料容器。
【請求項４】
前記ストロー飲み口が、柔軟なストロー状の形態であり、その長さ寸法に関する中央部が、前記ストロー傾斜案内部から外部に露出しているとともに、該中央部には脆弱部が設けられていることを特徴とする請求項１ないし３のいずれかに記載の飲料容器。
【請求項５】
前記ストロー傾斜案内部は、前記受容部を兼ねた比較的大きなひとつの貫通孔でなり、前記ストロー傾斜案内部として機能する該貫通孔の上部は孔径が小さく、前記受容部として機能する該貫通孔の下部は孔径が大きな形態であり、使用者の指を差し入れることができる大きさとされていることを特徴とする請求項４に記載の飲料容器。
【請求項６】
前記フード部材には、前記ストロー開口に対して、上下方向の位置が重ならない箇所であって、該フード部材の上部から下部にかけて複数の貫通孔が形成されており、これら複数の貫通孔のうち、上方に位置する貫通孔が前記ストロー傾斜案内部とされ、下方に位置する孔が前記受容部とされていることを特徴とする請求項１ないし４のいずれかに記載の飲料容器。
【請求項７】
前記フード部材の複数の貫通孔は上下位置を変えて３つ以上形成されており、これらを択一的に選択してストロー傾斜案内部とするようにしたことを特徴とする請求項６に記載の飲料容器。
【発明の詳細な説明】
【技術分野】
【０００１】
本発明は、飲料を収容するための飲料容器の改良に関するものである。
【背景技術】
【０００２】
加齢にともない、コップなどの飲料容器の縁に直接口を付けて飲用する際に機能する口輪筋の働きが弱まったり、さらには、口腔内に取り込んだ液体を嚥下する際に飲み込み量の調整が困難になる場合がある。
このため、直接容器の開口の縁に口を着けて飲むのではなく、例えば、ストローなどの細い吸い口を備えた飲料容器で飲むほうが、飲料をこぼしたり、むせたりすることなく比較的飲み易い。
【０００３】
このような飲料容器として、特許文献１に記載のような吸い飲み具が知られている。この吸い飲み具は、容器から直接筒状の細い吸い口が延び出しており、この吸い口の先端を口に咥えて容器を傾けることにより飲用するものである。
あるいは、特許文献２に示すものは、容器からほぼ垂直に延びるストローを備えており、該ストローには蛇腹状の曲折部が設けられており、該曲折部によって、ストロー先端部を任意の方向に曲げることができるようにされている。
【０００４】
【特許文献１】実公平３−５２５１６号公報
【特許文献２】特開２００１−３５４２６０号公報
【発明の開示】
【発明が解決しようとする課題】
【０００５】
しかし、特許文献１の吸い飲み具では、口腔内に入る液体の流量調整を容器の傾きにより決定しなければならず、口腔内の吸引によりその調整ができないので、容器の傾けに失敗すると、こぼしたり、むせてしまうことがよく生じる。
特許文献２のストローは、任意の方向に曲げることができる点は便利であっても、その向きに固定保持することができず、先端部を口に含むたびごとに曲げ方向を決めなければならず、使い勝手がきわめて悪いという欠点がある。
【０００６】
本発明は上述の課題を解決するためになされたもので、容器を保持しやすく、しかも吸い口部を任意の方向に選択して保持できることで自己飲みの場合にも、介助により飲用をする場合でも使い勝手に優れた飲料容器を提供することを目的としている。
【課題を解決するための手段】
【０００７】
上記目的は、請求項１の発明にあっては、上方に開放した開口部を有し、内部に飲料を収容する容器本体と、該容器本体に着脱され前記開口部を覆うとともに、ストロー開口を有するアダプター部材と、前記ストロー開口に着脱可能に挿通された柔軟なストロー飲み口を有するストロー部材とを備えた飲料容器であって、前記容器本体またはアダプター部材に一体に設けた片手用のハンドル部と、前記アダプター部材の上に配置されたフード部材とを有しており、前記フード部材には、前記ストロー開口に対して、上下方向の位置が重ならない箇所に形成されて、前記ストロー開口から延びるストロー飲み口を、傾斜させて外部に露出させるように案内するストロー傾斜案内部を備えており、かつ、前記フード部材が、上下方向に延びる仮想の中心線の周囲に回動可能とされている飲料容器により、達成される
【０００８】
第１の発明の構成によれば、本発明の飲料容器のハンドル部は片手用のハンドル部とされている点で、多くの取っ手付容器、例えばビールジョッキやコーヒーカップのように、大人が片手で容器を把持する使用形態に適している。
また、ハンドル部は容器本体またはアダプター部材と別体ではなく、一体であるため、飲用時にハンドル部と容器本体とが位置ずれすることがなく、安定的に保持することができる。
さらに、フード部材が回動するようになっており、該フード部材はストロー飲み口を、傾斜させて外部に露出させるように案内するストロー傾斜案内部を備えているので、ストロー飲み口が任意の方向に延びるように調整することができる。
この場合、例えば、自分で使用する場合には、フード部材を回動調整して、ハンドル部の位置に対して、ストロー飲み口が傾斜して延びる方向が、略４５度ないし９０度の範囲で、個人の好みに合わせて設定することにより飲用しやすくなる。これに対して、介助者が飲用を介助する場合には、ハンドル部の位置に対して、ストロー飲み口が傾斜して延びる方向が、略１８０度程度に設定することで、飲用の介助が容易となる。また、部品の着脱も簡単なので、一部の構成部品が故障もしくは損傷した場合にも、交換等故障に対する対応が容易である。しかもその故障した部品を交換すれば、経済的である。
かくして、容器を保持しやすく、しかも吸い口部を任意の方向に選択して保持できることで自己飲みの場合にも、介助により飲用をする場合でも使い勝手に優れた飲料容器を提供することができる。
【０００９】
第２の発明は、第１の発明の構成において、前記フード部材と前記アダプター部材の少なくとも一方が変形可能な成形品であり、前記フード部材と前記アダプター部材の一方の部材の周方向に沿って形成した溝部に対して他方の部材の凸部が嵌合することにより、前記フード部材が回動可能とされていることを特徴とする。
第２の発明の構成によれば、前記フード部材と前記アダプター部材の少なくとも一方の部品が変形可能であり、前記溝部に対して他方の部材の凸部が嵌合できるので、回動可能なフード部材は、ワンタッチで着脱することができる。これにより、分解して洗浄することが容易であって、容易に清潔に使用することができる。
【００１０】
第３の発明は、第１または２のいずれかの発明の構成において、前記フード部材は、前記アダプター部材の上部を覆うドーム状の形態であり、その上部には前記ストロー傾斜案内部が形成されているとともに、下部には、前記ストロー飲み口の先端部を折り曲げて収容する受容部が設けられていることを特徴とする。
第３の発明の構成によれば、前記フード部材には、ストロー飲み口の先端部を受容する受容部が設けられているので、使用の途中などでストロー飲み口の先端部を折り曲げて収容することができ、ストロー飲み口からの液体の漏れを防止して、先端部をフード部材に受容させることで、清潔に保持することができる。
【００１１】
第４の発明は、第１ないし３のいずれかの発明の構成において、前記ストロー飲み口が、柔軟なストロー状の形態であり、その長さ寸法に関する中央部が、前記ストロー傾斜案内部から外部に露出しているとともに、該中央部には脆弱部が設けられていることを特徴とする。
第４の発明の構成によれば、前記脆弱部の機能により、曲折が容易であるとともに、折り位置が一定なので、受容部にストロー飲み口の先端部を入れる際も作業性が良い。
【００１２】
第５の発明は、第４の発明の構成において、前記ストロー傾斜案内部は、前記受容部を兼ねた比較的大きなひとつの貫通孔でなり、前記ストロー傾斜案内部として機能する該貫通孔の上部は孔径が小さく、前記受容部として機能する該貫通孔の下部は孔径が大きな形態であり、使用者の指を差し入れることができる大きさとされていることを特徴とする。
第５の発明の構成によれば、使用の途中などでストロー飲み口の先端部を折り曲げて前記貫通孔の下部に収容することができるだけでなく、フード部材の（分解）着脱の際にも、前記貫通孔下部の拡径箇所に指を入れて作業することで、着脱がきわめて容易となる。
また、高齢者がストロー飲み口の先端部を前記受容部に差し入れる作業が容易である。
【００１３】
第６の発明は、第１ないし４のいずれかの発明の構成において、前記フード部材には、前記ストロー開口に対して、上下方向の位置が重ならない箇所であって、該フード部材の上部から下部にかけて複数の貫通孔が形成されており、これら複数の貫通孔のうち、上方に位置する貫通孔が前記ストロー傾斜案内部とされ、下方に位置する孔が前記受容部とされていることを特徴とする。
第６の発明の構成によれば、複数の孔の孔毎に異なる機能を持たせるもとで、使用者にとっても視覚的に機能を区別しやすく、使い勝手に優れている。
【００１４】
第７の発明は、第６の発明の構成において、前記フード部材の複数の貫通孔は上下位置を変えて３つ以上形成されており、これらを択一的に選択してストロー傾斜案内部とするようにしたことを特徴とする。
第７の発明の構成によれば、ストロー飲み口の傾斜角度を変更することができ、使用者の使い勝手がさらに向上する。
【発明を実施するための最良の形態】
【００１５】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１６】
図１ないし図３は、本発明の実施形態に係る飲料容器の全体を示しており、図１は飲料容器の概略斜視図、図２および図３は飲料容器の概略断面図で、図２はストロー飲み口を伸ばした状態、図３はストロー飲み口を折り曲げた状態を示している。
これらの図に示すように、飲料容器１０は、上面に開口部１１ａを有し、内部に飲料を収容することができる容器本体１１を備えている。容器本体１１は、ガラスやポリプロピレン、ポリカーボネート、ポリエーテルスルフォン等よりなる合成樹脂の比較的硬い成形品で形成することができ、この実施形態ではコップ状である。
容器本体１１には、一体にハンドル部１３が形成されている。ハンドル部１３は片手持ちの取手であり、容器本体１１と一体であるから、該ハンドル部１３を把持して持った状態では、容器本体１１は揺動等することはなく、安定的に保持できる。
【００１７】
図１および図２に示すように、飲料容器の容器本体１１は、上部が開いた大きな開口１１ａを備えている。この開口１１ａを塞ぐようにして、中央部に貫通したストロー開口２４を備えるアダプター部材２０が装着されるようになっており、さらに、その上には、例えば、ほぼドーム状としたフード部材３０が装着されている。
アダプター部材２０およびフード部材３０はともに成形品であり、少なくとも一方が変形可能な材料で成形されている。この実施形態ではポリエチレン、ポリプロピレン、エラストマー等から選択される材料で成形されている。
【００１８】
容器本体１１に着脱自在に装着されて、容器本体１１の開口を塞ぐアダプター部材２０は、この実施形態では、扁平なほぼ円盤状の部材である。その中央部には、ストロー部材４０を装着するためのストロー開口２４と、好ましくは、該ストロー開口２４に隣接して形成された小さな貫通孔でなる通気孔２５とを備えている。
このアダプター部材２０は、下方に向かって開く溝部２３を備えており、弾性を備えた変形可能な材料でなるアダプター部材２０の溝部２３に、容器本体１１の開口の上端を嵌入することによって、アダプター部材２０は容器本体１１に対して、容易に装着されるようになっている。この場合、容器本体１１の上端には、径方向外側に僅かに突出する凸部１２を備えているので、装着状態が安定的に維持される。
また、アダプター部材２０の外周には、所定幅でフランジ部が形成され、その外縁が下方に僅かに突出されることで指がかり２６ａが形成されている。この指がかり２６ａを利用することにより、容器本体１１とアダプター部材２０の着脱が容易となるようにされている。
【００１９】
アダプター部材２０の上部には、その外縁付近の周方向に沿って、僅かに垂直に起立する壁部２１が形成されている。該壁部２１の外周には、径方向外側に向かって開口した溝部２２が形成されている。
一方、ドーム状のフード部材３０の下端には、その周方向に沿って、内方に僅かに突出する凸部３５が形成されており、該凸部３５が、アダプター部材２０の壁部２１に形成された上記溝部２２に嵌入されることにより、装着されるようになっている。
ここで、凸部３５は、ドーム状のフード部材３０の下端において、その周方向に沿って、全体に連続して状態で形成される凸条でもよいが、むしろ、部分的に、内周に沿って３箇所程度の位置に形成した短い凸条もしくは突起とされると好ましい。これにより、フード部材３０とアダプター部材２０との着脱がきわめて容易となる。
また、フード部材３０の外面には、図１に示すように僅かに外方に膨出した部分が形成されており、この膨出部はフード部材３０の指がかり３３とされている。フード部材３０の指がかりは、図４に示されているように、該フード部材３０の直径方向の両端部にそれぞれひとつずつ一対形成されている。
【００２０】
これにより、フード部材３０をアダプター部材２０に対して回動させる場合に、各指がかり３３，３３を利用することで、容易に行えるようにされている。
そして、アダプター部材２０の溝部２２内に入り込んだ凸部３５が褶動することによって、フード部材３０は、図３に示されているように、飲料容器１０の上下方向に延びる仮想の中心線Ｃの軸周囲で矢印方向に回動できるようにされており、特に、指がかり３３，３３に手を添えることで、フード部材３０の回動が容易となるようにされている。
【００２１】
ストロー部材４０は、着脱部４２によりアダプター部材２０に取り付けられている。
すなわち、ストロー部材４０は、着脱部４２の下部に形成した通常の保持部４８内に挿入されて、容器本体１１の内部でその下端付近まで垂下された比較的硬い合成樹脂材料などでなるストロー基部４４と、下部に着脱部４２を備え、やや太くされた先端部４１を有する自在に曲折可能な柔軟な材料で形成されたストロー飲み口４５とを含んでいる。この場合、柔軟な材料とは、例えば、シリコンやエラストマー等である。
ストロー飲み口４５の長さ寸法に関する中央部には、例えば、材料の肉厚を薄くして形成した脆弱部４７が設けられている。これにより、例えば、飲用の途中で休憩の際などには、脆弱部４７の箇所で、図３で示すように容易に曲折され、後述するように先端部４１をフード部材３０内に受容もしくは収容して隠すことで、清潔で衛生的に使用することができる。しかも放置しても戻りにくい。
【００２２】
着脱部４２は、フランジ状の位置決め部４６と、該位置決め部４６の上に設けた溝部４３とを備えており、該溝部４３にアダプター部材２０のストロー開口２４の周縁部が嵌入されることで装着されるようになっている。
このフランジ状の位置決め部４６はその外形が真円ではなく、一部が切りかかれた形状とされることで、分解清掃の際に、転がりにくくなっている。
また、ストロー開口２４の周縁には下方に僅かに突出する凸部２７が形成されることにより、通気孔２５を塞がないようになっている。
さらに、通気孔２５はアダプター２０の中心部、すなわちストロー開口２４に接近して形成されている。このことにより、後述するようにフード部材３０を回動させて、飲用の際に容器本体１１の傾斜方向が実質的に変更された場合において、フード部材３０の回動停止位置に応じて、どのような向きで傾斜しても、該通気孔２５から液体が漏れ出にくいようになっている。
【００２３】
また、容器本体１１の内側の底部１４は、外方に突出する曲面とされることで、該容器本体１１内に垂下されたストロー基部４４が、この底部１４に当接する位置においては、容器本体１１内の液体を残らず吸引できるようにされている。
一方、ストロー部材４０の上端側であるストロー飲み口４５は、フード部材３０に形成されたストロー傾斜案内部から、外部に導かれる。
ここで、ストロー傾斜案内部は、ストロー飲み口４５の先端側を、使用者の口に向かって傾斜して延びるように、フード部材３０の外部に導く機能を有するものである。この実施形態では、ストロー傾斜案内部は、例えば、後述する受容部と一体にされた比較的大きな（ストロー飲み口の外径と比較してかなり大きな）ストロー露出孔３１とされている。
【００２４】
すなわち、この実施形態では、ストロー露出孔３１の上端付近にストロー飲み口４５が当接するので、この部分がストロー傾斜案内部３６であり、ストロー露出孔３１の下端が、受容部３７として機能する。受容部３７については後述する。
この実施形態では、ストロー飲み口４５は、露出孔３１から外部に露出されている。
このストロー露出孔３１は、フード部材３０に形成され、少なくともストロー飲み口４５の外形より大きな内径を有する貫通孔で、上下方向において、アダプター２０のストロー開口２４と重ならない位置に形成されている。
【００２５】
この実施形態では、ストロー開口２４は、アダプター部材２０の中心部に設けられているので、これと重なる位置でフード部材３０にストロー露出孔３１を設けると、ストロー開口２４をとおり、ストロー露出孔３１から外部に露出するストロー飲み口４５は、垂直に起立することになってしまう。
これに対して、ストロー露出孔３１をストロー開口２４と重ならない位置に設けることで、このストロー開口２４を通り、ストロー露出孔３１から外に出るストロー飲み口４５は、ストロー露出孔３１に向かうように、必ず傾斜して延びることになる。
【００２６】
ここで、ストロー傾斜案内部３６と受容部３７を兼用するストロー露出孔３１の形状は、図４，５および図６に示すように形成することができる。
すなわち、ストロー露出孔３１の上部は孔径が小さく、下部は孔径が大きな形態であり、受容孔３２とされている。すなわち、ストロー露出孔３１は、全体として孔径を大きくすることによって、その上部はストロー飲み口４５が外部へ導かれるための露出孔であり、下部は図３で説明したように、ストロー飲み口４５を脆弱部４７で曲折して、内側に屈曲された時、先端部４１を受容させて掛止できるようにした受容孔３２とされている。
しかも、ストロー露出孔３１の下部は、その径を大きく形成し、使用者の指を差し入れることができる大きさとされている。
これにより、ストロー露出孔３１は、フード部材３０の（分解）着脱の際にも、該ストロー露出孔３１の下部に指を入れて作業するための指がかりとすることで、着脱がきわめて容易となる。
【００２７】
本実施形態は以上のように構成されており、以下の作用効果を発揮する。
この飲料容器１０のハンドル部１３は片手用のハンドル部とされている点で、多くの取っ手付容器、例えばビールジョッキやコーヒーカップのように、大人が片手で容器を把持する使用形態に適している。
また、ハンドル部１３は容器本体１１と別体ではなく、一体であるため、飲用時にハンドル部１３と容器本体１１とが位置ずれすることがなく、安定的に保持することができる。
さらに、フード部材３０が回動するようになっており、該フード部材３０はストロー飲み口４５を、傾斜させて外部に露出させるように案内するストロー露出孔３１を備えているので、ストロー飲み口４５が任意の方向に延びるように調整することができる。
【００２８】
図４は、飲料容器１０を自分で使用する場合を示している。
フード部材３０の位置を図３の矢印Ａ方向に回動させて、図４のようにハンドル部１３の位置に対して、飲み口部４５がほぼ９０度の角度で位置するようにする。これにより、右手でハンドル部１３を把持した状態で、ストロー飲み口４５は、自己の口の方向に傾斜して延びることになる。
これにより、使用者は、ハンドル部１３の手の位置よりも高い位置へストロー飲み口４５の先端部４１が延びているので、大きく首の姿勢を変えたりすることなく、該ストロー飲み口４５を無理なく口腔内に受容することができる。
しかも、ストロー飲み口４５による吸引量を口腔内で自分で調整することにより、液体が流れ込む量を任意に調整できるので、容器から直接筒状の細い吸い口が延び出しているような所謂吸い飲み具のようなものと比較すると、容器を傾ける必要がなく、それにより不用意に液体が多量に口腔内に入り込み、こぼしたりすることがないので、きわめて飲用しやすい。
【００２９】
図５は、他者により介助してもらう場合を示している。
フード部材３０の位置を図３の矢印Ａ方向に回動させて、図５のようにハンドル部１３の位置に対して、ストロー飲み口４５がほぼ１８０度の角度で位置するようにする。これにより、介助者がハンドル部１３を把持した状態では、前方に延びるストロー飲み口４５が、飲用する人の口の方向に傾斜して延びることになる。
これにより、使用者は、ハンドル部１３の手の位置よりも高い位置へストロー飲み口４５の先端部４１が延びているので、必要以上に飲料容器１０を持ち上げる必要がなく、ストロー飲み口４５を無理なく口腔内に受容することができる。
しかも、ストロー飲み口４５による吸引量は、飲用する人が、自分の口腔内で調整することにより、液体が流れ込む量を任意に調整できるので、容器から直接筒状の細い吸い口が延び出しているような所謂吸い飲み具のようなものと比較すると、容器を傾ける必要がなく、それにより不用意に液体が多量に口腔内に入り込み、こぼしたりすることがないので、きわめて飲用しやすい。
【００３０】
図７（ａ）は上述の飲料容器１０の変形例の要部を示すもので、それぞれフード部材だけが示されている。これらの変形例では、以下に特に説明する点を除き、他の構成は図１ないし図５で説明したものと同じであるから、重複する説明は省略し、以下、相違点を中心に説明する。
図７（ａ）は変形例１を示している。
図において、フード部材３０−１に形成された貫通孔３１−１は、ストロー傾斜案内部としてのストロー露出孔であり、フード部材３０−１の比較的高い位置に設けられており、ストロー飲み口４５の外形よりも僅かに大きな径とされて、該ストロー飲み口４５を挿通するだけの機能を有している。
貫通孔３２−１は、受容部兼指がかりである。
すなわち、貫通孔３２−１は、貫通孔３１−１よりも大きな径であり、指を挿入できる大きさである。
これにより、指がかりとして使用できるし、ストロー飲み口の先端部を受容し、掛止することもできる。
【００３１】
図７（ｂ）は変形例２を示している。
図において、フード部材３０−２に形成された貫通孔３１−２は、傾斜角度を変更できるようにしたストロー傾斜案内部としてのストロー露出孔である。この場合、同じ径の孔が縦方向に３つ並んでいる。このうちのどれかの貫通孔を選択してストロー飲み口４５を挿通することで、外に露出するストロー飲み口４５の傾斜高さを変更することができる。
そして、ストロー露出孔３１−２とは別に、フード部材３０−２の下部に比較的大きな貫通孔３２−２を形成することによって、指がかりとすることができる。
なお、貫通孔３２−２を省略し、複数の貫通孔３１−２の下端の孔を受容部として使用できるようにしてもよい。
【００３２】
本発明は上述の各実施形態に限定されない。上述の各実施形態における各構成は、必要により、その一部を省略したり、他の構成と入れ換えて、異なる構成の組み合わせのもとで実施されてもよい。
【図面の簡単な説明】
【００３３】
【図１】本発明の実施形態にかかる飲料容器の概略斜視図。
【図２】本発明の実施形態にかかる飲料容器の概略断面図（ストロー飲み口を伸ばした状態）。
【図３】本発明の実施形態にかかる飲料容器の概略断面図（ストロー飲み口を折り曲げた状態）。
【図４】図１の飲料容器の概略平面図。
【図５】図１の飲料容器の概略平面図。
【図６】図１の飲料容器のフード部材の概略斜視図。
【図７】飲料容器変形例のフード部材の概略斜視図。
【符号の説明】
【００３４】
１０・・・飲料容器、１１・・・容器本体、１３・・・ハンドル部、２０・・・アダプター部材、３０・・・フード部材、３１・・・ストロー露出孔、３２・・・ストロー受容孔、４０・・・ストロー部材、４５・・・ストロー飲み口
【図１】
2008213844.tif 000003
【図２】
2008213844.tif 000004
【図３】
2008213844.tif 000005
【図４】
2008213844.tif 000006
【図５】
2008213844.tif 000007
【図６】
2008213844.tif 000008
【図７】
2008213844.tif 000009